(57)【要約】【課題】ＬＥＤの光による眩しさを防止することができると共に、ＬＥＤの光を効率的に利用し、省エネルギー且つ低コストで、より明るい照明を行うことができるＬＥＤ照明装置を提供する。【解決手段】ＬＥＤ発光部２と、ＬＥＤ発光部２の投光側に離間して設けられる透光拡散板３と、ＬＥＤ発光部２の投光側に設けられ、ＬＥＤ発光部２の光を反射して透光拡散板３に導く第１の反射板４と、透光拡散板３の投光側に設けられ、透光拡散板３からの出射光を反射して集光制御する第２の反射板５を備えるＬＥＤ照明装置１。【選択図】図１
2013145723.tif 000002
【特許請求の範囲】
【請求項１】
ＬＥＤ発光部と、
前記ＬＥＤ発光部の投光側に離間して設けられる透光拡散板と、
前記ＬＥＤ発光部の投光側に設けられ、前記ＬＥＤ発光部の光を反射して前記透光拡散板に導く第１の反射板と、
前記透光拡散板の投光側に設けられ、前記透光拡散板からの出射光を反射して集光制御する第２の反射板と、
を備えることを特徴とするＬＥＤ照明装置。
【請求項２】
前記透光拡散板が、前記ＬＥＤ発光部側からの入射光に対する全光線透過率７０％以上、拡散透過率５０％以上であることを特徴とする請求項１記載のＬＥＤ照明装置。
【請求項３】
前記透光拡散板が、前記ＬＥＤ発光部側の面、若しくは投光側の面、若しくはその双方の面に、凹凸を有する形状であることを特徴とする請求項１又は２記載のＬＥＤ照明装置。
【発明の詳細な説明】
【技術分野】
【０００１】
本発明は、ＬＥＤ（発光ダイオード）を光源とするＬＥＤ照明装置に関する。
【背景技術】
【０００２】
近年、ＬＥＤを光源とするＬＥＤ照明装置が普及してきているが、ＬＥＤの光は指向性が強いため、ＬＥＤを直接見ると眩しく感じ、不快感を生じたり、目を痛めたりする可能性がある。そのため、ＬＥＤが直接目に入らないようにし、ＬＥＤの光の拡散を図るべく、ＬＥＤの投光側に拡散板を設け、拡散板を透過した光によって照明を行うことが行われている。
【０００３】
例えば特許文献１には、ＬＥＤ光源の投光側にＬＥＤ光源から離間して拡散板が設けられるＬＥＤ照明装置が開示されている。更に、特許文献１のＬＥＤ照明装置では、ＬＥＤ光源の投光方向に、拡散板から離間して均一板が設けられ、拡散板と均一板の双方でＬＥＤの光を拡散させ、眩しさを防止するようにしている。
【先行技術文献】
【特許文献】
【０００４】
【特許文献１】特開２００３−１８７６０５号公報
【発明の概要】
【発明が解決しようとする課題】
【０００５】
ところで、ＬＥＤ照明装置には、眩しさを防止することに加え、ＬＥＤの光を効率的に利用し、省エネルギー且つ低コストで、より明るい照明を行えることが求められている。
【０００６】
本発明は上記課題に鑑み提案するものであって、ＬＥＤの光による眩しさを防止することができると共に、ＬＥＤの光を効率的に利用し、省エネルギー且つ低コストで、より明るい照明を行うことができるＬＥＤ照明装置を提供することを目的とする。
【課題を解決するための手段】
【０００７】
本発明のＬＥＤ照明装置は、ＬＥＤ発光部と、前記ＬＥＤ発光部の投光側に離間して設けられる透光拡散板と、前記ＬＥＤ発光部の投光側に設けられ、前記ＬＥＤ発光部の光を反射して前記透光拡散板に導く第１の反射板と、前記透光拡散板の投光側に設けられ、前記透光拡散板からの出射光を反射して集光制御する第２の反射板とを備えることを特徴とする。
この構成によれば、透光拡散板と第２の反射板による拡散光の集光により、ＬＥＤの光による眩しさを防止することができると共に、第１の反射板で透光拡散板にＬＥＤの光を導き、第２の反射板で透光拡散板からの出射光を集光制御することにより、ＬＥＤの光を効率的に利用し、省エネルギー且つ低コストで、より明るい照明を行うことができる。
【０００８】
本発明のＬＥＤ照明装置は、前記透光拡散板が、前記ＬＥＤ発光部側からの入射光に対する全光線透過率７０％以上、拡散透過率５０％以上であることを特徴とする。
この構成によれば、ＬＥＤの光を非常に効率的に利用することができると共に、拡散光の割合を高めてＬＥＤの光による眩しさを確実に防止することができる。
【０００９】
本発明のＬＥＤ照明装置は、前記透光拡散板が、前記ＬＥＤ発光部側の面、若しくは投光側の面、若しくはその双方の面に、凹凸を有する形状であることを特徴とする。
この構成によれば、汎用樹脂等の低コストの素材を用いて透光拡散板を形成することができ、ＬＥＤの光による眩しさを防止しつつ、ＬＥＤ照明装置の製造コストを低減することができる。
【発明の効果】
【００１０】
本発明のＬＥＤ照明装置は、ＬＥＤの光による眩しさを防止することができると共に、ＬＥＤの光を効率的に利用し、省エネルギー且つ低コストで、より明るい照明を行うことができる。
【図面の簡単な説明】
【００１１】
【図１】実施形態のＬＥＤ照明装置の説明図。
【図２】実施形態における透光拡散板の部分平面図。
【図３】変形例の透光拡散板の部分平面図。
【発明を実施するための形態】
【００１２】
実施形態のＬＥＤ照明装置１は、図１に示すように、ＬＥＤ発光部２と、ＬＥＤ発光部２の投光側に離間して設けられる透光拡散板３と、ＬＥＤ発光部２の投光側に設けられ、ＬＥＤ発光部２の光を反射して透光拡散板３に導く第１の反射板４と、透光拡散板３の投光側に設けられ、透光拡散板３からの出射光を反射して集光制御する第２の反射板５とから構成される。
【００１３】
ＬＥＤ発光部２は、実装基板２１の一方の面にチップ型のＬＥＤ２２が所定間隔で縦横に整列して配置され、実装基板２１と整列配置されたＬＥＤ２２の全体がポリカーボネート樹脂など透明樹脂等の封止材２３で封止されているものである。ＬＥＤ発光部２の平面視形状は、例えば円形或いは長方形等であり、この形状に対応してＬＥＤ２２の配置領域の形状も設定される。尚、ＬＥＤ２２にはチップ型の他、砲弾型、表面実装型（ＳＭＤ型）等の適宜のものを用いることが可能であり、又、ＬＥＤ発光部２には前記構成に代え、ＬＥＤパッケージ等の各種のＬＥＤ発光体を用いることが可能である。
【００１４】
透光拡散板３は、アクリル樹脂、ポリカーボネート樹脂、ポリスチレン樹脂、ガラス等の透過率に優れる透光性の素材で形成されており、その平面視形状は例えば円形或いは長方形等である。透光拡散板３は、本体３１のＬＥＤ発光部２側の面、若しくは透光拡散板３からの投光側の面、若しくはその双方の面に凹凸を有する形状であり、本例では、図２に示すように、本体３１のＬＥＤ発光部２側の面に点状の凸部３２が縦横等に整列配置されるように形成されて、ＬＥＤ発光部２側の面が凹凸を有する形状になっている。
【００１５】
図２の例では、点状の凸部３２がピラミッド形に形成されているが、点状の凸部３２の形状は適宜であり、例えば半球形、三角錐形、四角錐形、ピン形など適宜である。また、対象とする面に点状の凸部３２を設ける構成に代え、適宜形状の点状の凹部を配列して設ける構成、或いは対象とする面に梨地模様等の模様を形成する構成等により、凹凸形状を形成してもよい。また、点状の凸部３２や凹部を設ける構成に代え、筋状の凸条若しくは凹溝を対象とする面に所定間隔で形成する構成としてもよい。図３に筋状の凸条３３を本体３１の対象面に所定間隔で形成した構成を示す。また、透光拡散板３は、凹凸形状を設けずに、白半透明の樹脂等の素材で形成することも可能である。
【００１６】
透光拡散板３は、透光性の素材で前述の凹凸を有する形状に形成する構成等により、ＬＥＤ発光部２側からの入射光に対する全光線透過率が７０％以上、拡散透過率が５０％以上、より好適には全光線透過率が９０％以上、拡散透過率が７０％以上となるようにすると、ＬＥＤ２２の光を非常に効率的に利用できると共に、拡散光の割合を高めてＬＥＤ２２の光による眩しさを確実に防止できて好ましい。
【００１７】
更には、透光拡散板３を、本体３１のＬＥＤ発光部２側の面に凹凸を有する形状、若しくは本体３１のＬＥＤ発光部２側の面と透光拡散板３からの投光側の面の双方の面に凹凸を有する形状とすると、ＬＥＤ発光部２側からの入射光に対する全光線透過率が７０％以上、拡散透過率が５０％以上をより確実に達成することができるので好適である。
【００１８】
第１の反射板４は、ＬＥＤ発光部２と透光拡散板３との間に配置され、ＬＥＤ発光部２の光を反射して透光拡散板３に導くようになっている。第１の反射板４の反射面は、ＬＥＤ発光部２から透光拡散板３に向かって漸次拡がるように形成されており、例えば載頭円錐形で漸次拡径するように形成され、或いは断面視テーパ状の反射面がそのまま延びる形状において漸次拡幅するように形成されている。第１の反射板４は、例えばステンレス、アルミニウム、塗装鉄板、或いはポリカーボネート樹脂、ノリル樹脂、ＡＢＳ樹脂等の樹脂、或いはこれらの樹脂に酸化チタン等の反射率を上昇する素材を配合したもの等で形成される。
【００１９】
第２の反射板５は、透光拡散板３の投光側に設けられ、透光拡散板３からの出射光を反射して集光制御するようになっている。第２の反射板５の反射面も、透光拡散板３から投光側に向かって漸次拡がるように形成されており、例えば載頭円錐形で漸次拡径するように形成され、或いは断面視テーパ状の反射面がそのまま延びる形状において漸次拡幅するように形成されている。第２の反射板５は、第１の反射板４と同様の素材等で適宜形成される。
【００２０】
更に、第２の反射板５は、異なる角度の反射面を有するものに付け替えられるように、透光拡散板３の投光側に着脱可能に取り付けられるようにすると好適である。第２の反射板５を着脱可能とすることにより、ＬＥＤ照明装置１の光照射角度を容易且つ任意に調整することが可能となり、例えば従来の白熱灯、蛍光灯、水銀灯、メタルハライドランプ等と同等の照明や、或いはスポットライト等の狭い角度の照明など、用途に応じた光照射角度の調整を容易に行うことができる。
【００２１】
本実施形態のＬＥＤ照明装置１によれば、透光拡散板３と第２の反射板５による拡散光の集光により、ＬＥＤ２２の光による眩しさを防止することができると共に、第１の反射板４で透光拡散板３にＬＥＤ２２の光を導き、第２の反射板５で透光拡散板３からの出射光を集光制御することにより、ＬＥＤ２２の光を効率的に利用し、省エネルギー且つ低コストで、より明るい照明を行うことができる。また、凹凸を有する透光拡散板３とすることにより、汎用樹脂等の低コストの素材を用いて透光拡散板３を形成することができ、ＬＥＤ照明装置１の製造コストを低減することができる。
【産業上の利用可能性】
【００２２】
本発明は、例えば工場用照明、店舗用照明、家庭用照明、施設内照明等の屋内照明や、野外施設等の屋外照明や、救助や観光地等で用いるスポットライトなど、各種のＬＥＤ照明装置に利用することができる。
【符号の説明】
【００２３】
１…ＬＥＤ照明装置  ２…ＬＥＤ発光部  ２１…実装基板  ２２…ＬＥＤ  ２３…封止材  ３…透光拡散板  ３１…本体  ３２…凸部  ３３…凸条  ４…第１の反射板  ５…第２の反射板
【図１】
2013145723.tif 000003
【図２】
2013145723.tif 000004
【図３】
2013145723.tif 000005